(57)【要約】【課題】  稚魚の育成に適した環境を維持しながらも、木材を衝突物から保護し、その上、木材の交換に適した魚礁の木材交換構造を提供することである。【解決手段】  鋼材のフレーム２に筒状の金網６を固定すると共に、金網の開口端から木材７を出し入れ可能に挿入し、その挿入状態を維持及び解除可能な拘束手段８を有することを特徴とする魚礁の木材交換構造。フレームに金網を起立させ、起立する金網の下方を木材の沈下防止用に塞ぐと共に、上開口端から木材を出し入れ可能に設け、拘束手段は、起立する金網の上端部にスリット１９を上下方向に形成し、木材に止めた留め具２０をスリットに沿って昇降可能に設け、留め具２０の先部を金網に係止することによって木材の浮き上がりを防止するものである。【選択図】      図１
2006055031.tif 000002
【特許請求の範囲】
【請求項１】
鋼材のフレーム（２）に筒状の金網（６）を固定すると共に、金網（６）の開口端から木材（７）を出し入れ可能に挿入し、その挿入状態を維持及び解除可能な拘束手段（８）を有することを特徴とする魚礁の木材交換構造。
【請求項２】
フレーム（２）に金網（６）を起立させ、起立する金網（６）の下方を木材（７）の沈下防止用に塞ぐと共に、上開口端から木材（７）を出し入れ可能に設け、
拘束手段（８）は、起立する金網（６）の上端部にスリット（１９）を上下方向に形成し、木材（７）に止めた留め具（２０）をスリット（１９）に沿って昇降可能に設け、留め具（２０）の先部を金網（６）に係止することによって木材（７）の浮き上がりを防止するものであることを特徴とする請求項１記載の魚礁の木材交換構造。
【発明の詳細な説明】
【技術分野】
【０００１】
本発明は、魚礁に用いる木材を交換することのできる構造に関する。
【背景技術】
【０００２】
従来より、木材を使用した魚礁が開発されているが、使用中に何かが衝突して木材が魚礁から外れ、流木となって船舶や海洋工作物に当たるおそれがあるとの見解に基づいて、海中への設置を見送ることがある。しかしながら、木材は一定期間、海中に沈んでいれば、水分を吸って浮力がなくなり、その期間が経過すれば魚礁から外れても、浮き上がらずに沈んだままとなることが知られている（特許文献１）。従って、木材を衝突物から保護しながら、一定期間少なくとも海中に沈めておくことができれば、上記問題を解決できる。
【特許文献１】実公平５−３１８９８号公報
【０００３】
また、木材はプランクトン等が付着して、稚魚の育成に適した環境を作り出すものであるため、衝突物から保護するためとはいえ、その周囲を完全に覆ったのでは、木材の良さが生かされない。
【０００４】
さらに、木材を用いる魚礁には、その木材を固定する土台に鋼材が使われ、その固定にはボルト・ナットの連結具が用いられたものが存在する（特許文献２）。このうち木材は鋼材に比べて、耐用期間が劣る（フナクイムシに食われる）ので、時期が来たら交換できるようにすることが望ましいが、土台に対して木材を特定の箇所に位置決めし、その上、起立したり、横に寝かせたり特定の形態を維持しつつ連結作業をするのは厄介であり、交換に適した構造とは言い難い。
【特許文献２】特開２００１−２２４２７２号公報
【発明の開示】
【発明が解決しようとする課題】
【０００５】
本発明は上記実情を考慮して創作されたもので、その目的とするところは、稚魚の育成に適した環境を維持しながらも、木材を衝突物から保護し、その上、木材の交換に適した魚礁の木材交換構造を提供することである。
【課題を解決するための手段】
【０００６】
請求項１の発明は、鋼材のフレームに筒状の金網を固定すると共に、金網の開口端から木材を出し入れ可能に挿入し、その挿入状態を維持及び解除可能な拘束手段を有することを特徴とする魚礁の木材交換構造である。
【０００７】
筒状の金網をフレームに対して固定する形態は限定されず、例えば、横に寝かす形態であっても良い。また、拘束手段は、木材を金網に挿入した状態を維持でき、その上、その維持を解除できるものであれば充分であり、例えば、金網の開口端を蓋（板状でも網目状でも形態は問わない）で塞ぐものであっても良い。そして、上述したものの一例として、請求項２の発明のように、フレームに金網を起立させ、起立する金網の下方を木材の沈下防止用に塞ぐと共に、上開口端から木材を出し入れ可能に設け、拘束手段は、起立する金網の上端部にスリットを上下方向に形成し、木材に止めた留め具をスリットに沿って昇降可能に設け、留め具の先部を金網に係止することによって木材の浮き上がりを防止するものであっても良い。
【発明の効果】
【０００８】
請求項１の発明によれば、筒状の金網内に木材を挿入するので、木材が衝突物から保護される。また、金網内外の木材と海水が金網の網目によって通じているので、網目から稚魚が出入りして木材に付着したプランクトン等を食べたりでき、稚魚の育成に適した環境を維持していると言える。さらに、フレームに固定した金網の開口端から木材を出し入れするだけなので、その出し入れ作業は容易であり、しかも、新品の木材を挿入するだけで、木材を特定の形態（起立したり寝かせたり）に保持できると共に、位置決めできるので、木材の挿入状態を拘束手段によって維持する際に、その維持作業（取り付け作業）に専念できることになり、木材の交換作業が容易且つ迅速に行えることになる。なお、木材を交換することによって、金網の耐用期間が終わるまで、魚礁として使用でき、経済的である。
【０００９】
請求項２の発明であれば、浮力がなくなった木材を起立した金網から引き上げる際には、留め具を利用して引き上げることができ、また、金網の上端部のスリットに沿って木材に止めた留め具を昇降させ、その留め具の先部を金網に係止したり、係止解除するだけで、木材を交換できるので、交換作業に適した構造と言える。
【発明を実施するための最良の形態】
【００１０】
魚礁１は図２に示すように、フレーム２の土台３に板状の金網床４を敷き、金網床４の上に石５を載せると共に、土台３の上に筒状の金網６を起立し、その起立する金網６内に木材７を挿入し、拘束手段８によって木材７の挿入状態を維持している。木材７の起立状態は図３に示すように土台３の内側と外側で二重の囲い９，１０を作るものであり、双方の囲い９，１０は、起立する木材７の間隔をあけて、潮の流れをできるだけ妨げないようにしてある。
【００１１】
また、内側の囲い９を、図４〜図７に基づいて説明する。図４は、横に寝かした筒状の金網を省くと共に、木材を金網から抜いた魚礁を示す平面図である。図５は、フレーム２を示す平面図、図６，図７は図５のＡ−Ａ線、Ｂ−Ｂ線断面図である。内側の囲い９は、土台３の一部（図４では中央部）に平面視ほぼ円形の支持枠１１を起立し、その支持枠１１の周囲に複数の筒状の金網６を間隔をあけて起立すると共に、支持枠１１の上端に筒状の金網６を横に寝かせて架設してある。起立した筒状の金網６に対しては、後述するスリット１９の付いている上開口端から木材７を出し入れし、横に寝かした筒状の金網６に対しては、スリット１９の付いている片方の開口端から木材７を出し入れする。そして、各金網６に挿入した木材７を拘束手段８によって、その挿入状態を維持している。なお、筒状の金網６及び金網床４には例えば鋼材を用い、鋼材は木材同様、海を汚すおそれがないので、材料として好適である。
【００１２】
フレーム２は鋼材を組んだもので、例えば矩形に枠組みした土台３から複数本の脚１２を垂下すると共に、土台３の中央部に支持枠１１を起立する。支持枠１１は土台３上にドーナツ板１３を固定し、ドーナツ板１３の内周側に沿って複数本のポール１４を間隔をあけて起立し、ドーナツ板１３の上に平面視Ｃ字状のリング１５を上下に間隔をあけて全てのポール１４を取り囲む状態で固定してある。そしてこのリング１５の外周に沿って、起立する金網６を固定（溶接）し、金網６に挿入した図示しない木材７の下端がドーナツ板１３に載って支えられる。また、土台３は、複数本の脚１２の上部外側に上枠１６を、その下側内側に下枠１７をそれぞれ固定したもので、下枠１７を上枠１６より一回り小さく形成し、起立する金網６の外側を上枠１６の内側に固定（溶接）することによって固定箇所の破損を防止すると共に、金網６の下端を下枠１７の上側に配置することによって、金網６に挿入した木材７の沈下を下枠１７で予防してある。下枠１７の内側は縦横に補強桟１８が入っており、下枠１７に敷いた金網床４が石５の重量で破損しないようにしてある。なお、上枠１６の内側にも、ドーナツ板１３を固定するために補強枠１８が縦横に入っている。
【００１３】
拘束手段８は図１、図２に示すように、筒状の金網６に挿入した木材７の挿入状態を維持及び解除可能なもので、起立する金網６の場合はその上端からスリット１９を下方に向かって形成すると共に、木材７に止めた留め具２０をスリット１９から外側に突出し、留め具２０をスリット１９に沿って昇降可能に設け、留め具２０の先部を金網６の網目に係止する。横に寝かした金網６の拘束手段８も同様である。
【００１４】
留め具２０は、木材７にボルト２１をネジ込み、そのボルト２１に縛った紐２２の先端にＪ字状のフック２３を取り付けたものである。
【００１５】
また、図８には、複数の魚礁１を横並びに連結する構造を示してある。一方の魚礁１には土台３の側面に、側方から下方に延びるＬ字状の連結材２４を固定し、他方の魚礁１には土台３の側面に側方から上方に延びるＬ字状の連結材２４を固定し、隣接する魚礁１のＬ字状の連結材２４同士を互いに噛み合わせることによって仮止めし、図示しないターンバックルを双方の魚礁１の脚１２に固定して締め付ける構造である。
【図面の簡単な説明】
【００１６】
【図１】本発明の魚礁の木材交換構造を示す拡大斜視図である。
【図２】本発明の魚礁の木材交換構造を示す正面図である。
【図３】本発明の魚礁の木材交換構造を示す平面図である。
【図４】木材を外した魚礁を示す平面図である。
【図５】魚礁のフレームを示す平面図である。
【図６】図５のＡ−Ａ線断面図である。
【図７】図５のＢ−Ｂ線断面図である。
【図８】魚礁の連結構造を示す正面図である。
【符号の説明】
【００１７】
２  フレーム
６  金網
７  木材
８  拘束手段
１９  スリット
２０  留め具
【図１】
2006055031.tif 000003
【図２】
2006055031.tif 000004
【図３】
2006055031.tif 000005
【図４】
2006055031.tif 000006
【図５】
2006055031.tif 000007
【図６】
2006055031.tif 000008
【図７】
2006055031.tif 000009
【図８】
2006055031.tif 000010